(57)【要約】本発明は乳酸菌のような活性添加物を含むパンティーライナーに関し、更にこの物品は使用時に着用者に近い方に位置する液体透過性上面シート、使用時に着用者から遠い方に位置する液体不透過性背面シート、任意の中間吸収性層、及び任意の固定手段を含む。このパンティーライナーは活性添加物、好ましくは乳酸菌が製品が使用されるまで前記添加物の健全な生存率を確実とするために十分に効果的で乾燥した環境を与えられるような態様で製造される。【特許請求の範囲】
【請求項１】
乳酸菌のような活性添加物を含むパンティーライナーであって、更に使用時に着用者に近い方に位置する液体透過性上面シート、使用時に着用者から遠い方に位置する液体不透過性背面シート、任意の中間吸収性層及び任意の固定手段を含むものにおいて、パンティーライナーが詰め綿、トウ、不織布または他の合成繊維材料の群から選ばれた一つまたはそれ以上の低吸湿性材料から主として製造され、更にパンティーライナーの湿分含量が２２．５℃でかつ４６％湿度で２４時間後に２．５重量％未満、好ましくは２．０％未満、より好ましくは１．０％未満であることを特徴とするパンティーライナー。
【請求項２】
低吸湿性材料がトウであることを特徴とする請求項１に記載のパンティーライナー。
【請求項３】
低吸湿性材料が詰め綿であることを特徴とする請求項１に記載のパンティーライナー。
【請求項４】
低吸湿性材料が厚い不織布であるか、またはスプリット可能な繊維もしくはマイクロ繊維から製造されることを特徴とする請求項１に記載のパンティーライナー。
【請求項５】
パンティーライナーが分散層をも含むことを特徴とする請求項１から４のいずれか一つに記載のパンティーライナー。
【請求項６】
上面シートが詰め綿により模様化されていることを特徴とする請求項１から５のいずれか一つに記載のパンティーライナー。
【請求項７】
パンティーライナーがパンティーライナー当り０−６ｍｌの液体、好ましくは２−４ｍｌの液体の合計吸収容量を持つ超吸収性材料を更に含むことを特徴とする請求項１から６のいずれか一つに記載のパンティーライナー。
【請求項８】
超吸収性材料がＳＡＰ粒子または顆粒の形であることを特徴とする請求項６に記載のパンティーライナー。
【請求項９】
超吸収性材料が超吸収性繊維（ＳＡＦ）の形を持つことを特徴とする請求項６に記載のパンティーライナー。
【請求項１０】
活性添加物が乳酸菌、好ましくはラクトバシラス・プランタラム（Ｌａｃｔｏｂａｃｉｌｌｕｓ  ｐｌａｎｔａｒｕｍ）ＬＢ９３１株（ＤＳＭ：１１９１８）の乳酸菌であることを特徴とする請求項１から９のいずれか一つに記載のパンティーライナー。
【請求項１１】
背面層が通気性材料から構成されていることを特徴とする請求項１から１０のいずれか一つに記載のパンティーライナー。
【請求項１２】
請求項１−１１のいずれかに記載のパンティーライナーの製造における、トウ及び詰め綿のような一つまたはそれ以上の低吸湿性材料の使用であって、前記材料が２２．５℃でかつ４６％湿度で２４時間後に２．５重量％未満、好ましくは２．０％未満、より好ましくは１．０％未満の湿分含量を示すことを特徴とする使用。
【発明の詳細な説明】
【０００１】
発明の分野
本発明は乳酸菌のような活性添加物を含み、かつ使用時に着用者に近い方に位置する液体透過性上面シート、使用時に着用者から遠い方に位置する液体不透過性背面シート及び任意の中間吸収層と任意の固定手段を含むパンティーライナーに関する。
【０００２】
発明の背景
近時、種々の形式の活性添加物がおむつ、パンティーライナー等のような吸収性製品で使用され始めた。かかる添加物の例は例えばＷＯ  ９７／４６１８８，ＷＯ  ９７／４６１９０，ＷＯ  ９７／４６１９２，ＷＯ  ９７／４６１９３，ＷＯ  ９７／４６１９５及びＷＯ  ９７／４６１９６に記載されたゼオライト及びシリカのような消臭剤である。これらの添加物は本質的に製品自体内で作用することを意図している。別の例は柔化添加物、例えばローションのおむつへの添加にあり、それらは製品から着用者の皮膚へ移動されることを意図している。
【０００３】
活性添加物はある点では吸収性製品に新しいまたは強化された性質を付与することを意図している。乳酸形成細菌（乳酸菌）（特にＳＥ  ９７０３６６９−３，ＳＥ  ９５０２５８８−８，ＷＯ  ９２／１３５７７，ＳＥ  ９８０１９５１−６，ＳＥ  ９８０４３９０−４，ＷＯ  ００／０１２０６及びＷＯ  ００／０１２０７に記載）は使用時に着用者に近い方に位置する吸収性製品の部分に適用され、着用者自身の乳酸菌に対する補足として着用者の外陰部に移動されることを意図している。これは自らの乳酸菌微生物叢が弱化した状況では特に価値がある。例えば、妊娠可能な年齢の女性は本来望ましくない微生物に対する防御としてそれらの外陰部に乳酸菌を持つ。
【０００４】
乳酸形成細菌（乳酸菌）は生きている生物であり、もちろんそれらの希望の機能を実行するために生きていなければならないので、かかる細菌が存在する環境がそれらの生存に負の影響を持たないことが重要である。これは活性成分として乳酸菌を含む製品の開発に関して問題であることが見出された。乳酸菌の生存が室温では主として高湿度環境で負の影響を受けることが見出された。乳酸菌が健全な貯蔵環境を持つことを確実とするために、貯蔵期間中湿分の来入を防ぐのに十分な程、不透過性である包装ユニットが開発された（ＷＯ  ００／０１２０７）。この製品はまた製品の湿分含量が包装が密封されるとき十分に低くなることを確実とするために製品を包装する直前に乾燥工程を受けさせられる。しかし、この追加の工程段階は複雑でありかつ費用が掛かる。従って、貯蔵時の細菌の健全な生存を確保するのに効果的である良好でかつ乾燥した環境を乳酸菌に対して提供することができる別の製造工程または別の乳酸菌含有製品に対する要求がある。
【０００５】
本発明の目的は製品の多少の程度の乾燥のような更なる処理を必要とすることなく、活性添加物の活性を製品の使用に先立ち保持することを可能とする吸収性物品、主としてパンティーライナーを提供することである。
【０００６】
発明の概要
この目的は乳酸菌のような活性添加物を含み、かつ使用時に着用者に近い方に位置する液体透過性上面シート、使用時に着用者から遠い方に位置する液体不透過性背面シート、任意の中間吸収性層及び任意の固定手段を含むパンティーライナーであって、このパンティーライナーが材料群：不織布、詰め綿、トウ、及び他の合成繊維材料から選ばれた一つまたはそれ以上の低吸湿性材料から主として製造され、更にこのパンティーライナーの湿分含量が４６％の湿度で２２．５℃で２４時間後に２．５％未満、好ましくは２．０％未満、より好ましくは１．０％未満であることを特徴とするパンティーライナーにより達成される。
【０００７】
通常の条件下では、かかるパンティーライナーは貯蔵時の乳酸菌の健全な生存に負の影響を持たない範囲までしか湿分を吸収しないことが見出された。このパンティーライナーはまた、必然的に、吸収されねばならない月経流体のような流体を吸収するための超吸収剤を含むことができ、この量は通常の場合２−４ｇの流体を吸収する量に相当する。かくして、製品の芯に適用される超吸収性材料は使用時に製品に対してその機能を達成するために吸収されねばならない流体を吸収するであろう。残りの合成トウまたは詰め綿材料は目に見えるほどの吸湿能力を持たないけれども、室温で非常に効果的な乾燥容量を持ち、これが貯蔵時に乾燥環境を持つ乳酸菌を提供する。
【０００８】
種々の種類の紙系材料がこの種の典型的な製品で通常使用される。例えば、特にパルプ繊維が物品の芯に使用されることが最も多い。なぜなら親水性であるほかにかかる繊維は湿分及び液体を効果的に吸収し、かつ安価であるからである。本発明の場合におけるように紙繊維の使用を避けることにより、製品のより低い湿分含量が達成され、従って乳酸菌のより高い生存率が達成される。十分に効果的な吸収能力が、使用時に排出された液体の予期した容積、すなわち約０−４ｍｌの典型的な容積を吸収する能力を持つ超吸収剤の使用により製品中に得られる。この場合、液体吸収は芯に集中され、パンティーライナーの残りは湿分を吸収する傾向のない材料から作られる。
【０００９】
用いられる超吸収材料は小さなＳＡＰ粒子、大きなＳＡＰ粒子、またはＳＡＦ（超吸収性繊維）の形を持つことができる。体液に関しての物品の吸収性は不必要に大量の大気湿分を吸収する能力を持つことなくそれで十分であろう。
【００１０】
一実施例によれば、製品は超吸収剤を含まず、それは使用時に吸収されると予期される流体がない場合に機能的である。これは特に使用時に乳酸菌を着用者に移動することのみが望まれる場合に適用される。
【００１１】
製品は好都合には通気性の背面シートを備えることができ、従って製品を着用するとき発汗が少なく、かつ従って製品は不必要に大量の湿分を吸収しないであろう。
【００１２】
発明の詳細説明
低吸湿性材料は、通常の貯蔵条件下に実質的に乾燥環境を維持するに十分な低い量の大気湿分を吸収することのできる材料を意味し、例えばトウ、詰め綿及び他の合成繊維材料のような材料を意味する。
【００１３】
トウは、ここでは材料を一緒に保持するように横断溶着により結合された長いポリプロピレン繊維からなる合成材料を意味する。
【００１４】
詰め綿は例えば細い空気によりニードルされた、樹脂結合された、サーモボンドされた、またはカードまたはコーマ繊維により結合された合成高柔軟材料である。詰め綿は商業的に例えばＬｉｂｅｒｔｅｘから入手可能である。
【００１５】
この発明のパンティーライナーは液体透過性上面シート、液体不透過性背面シート、及び任意の中間吸収体から構成される。活性添加物、好ましくは乳酸菌は上面シートにきわめて接近して適用される。製品が使用されるまで乳酸菌が生存し、それらの活性を保持することを確実とするために、この発明の概念によればパンティーライナーが作られている材料ができるだけ少ない湿分を引き付けることが重要である。試行によって２．５重量％の湿分含量が上限値であることを示し、それより下では乳酸菌の生存が良好であることを示した。従って、この発明のパンティーライナーは例えば、詰め綿及びトウのような、試験条件（例１参照）下で前記上限より少ない湿分を吸収する材料から作られる。
【００１６】
超吸収剤（ＳＡＰ）は好ましくは使用時に発生するそれらの吸収要求を満足させるために用いられる。超吸収剤が用いられるとき、着用者により送出された液体が超吸収性材料に導かれることを確実とするために、上面シートの下に分散層を適用することが好都合であるかもしれない。
【００１７】
一実施例において、低吸湿性材料はトウである。
【００１８】
別の実施例において、低吸湿性材料は詰め綿である。
【００１９】
別の実施例において、上面シートと詰め綿は点結合によりまたは模様を形成する線結合により一緒に結合される。これは溶着により、または点で、短線（点線）に沿ってまたは幾つかの他の模様で高圧力を適用することにより達成され、そこでは模様の点または線の幅は約１−７ｍｍである。これは液体吸収及び液体の下層への輸送を促進する大きな毛管と小さな毛管の組み合わせをもたらす。
【００２０】
更なる実施例において、低吸湿性材料は厚い不織布、例えばカードされた、スパンボンドされた、または白色または褐色の不織布（Ｆｒｅｕｄｅｎｂｕｒｇから入手可能な、８０−１４０ｇ／ｍ２の単位面積当り重量を持つ、スプリット可能な繊維を持つ“Ｅｖｏｌｏｎ”）、またはマイクロ繊維である。
【００２１】
この発明のパンティーライナーで使用される超吸収性材料はＳＡＰ粒子、例えばＢＡＳＦからのＨｙｓｏｒｂ  Ｃ  ７１００、酸性ＳＡＰ、またはＳＡＦ繊維の形を持つことができる。超吸収性材料は０−６ｇの液体、好ましくは２−４ｇの液体を吸収することができる量で適用される。これは０．１−０．５ｇの超吸収剤の添加を必要とする。
【００２２】
一実施例において、パンティーライナーは超吸収剤を含まない。
【００２３】
この発明のパンティーライナーを２４時間の期間に渡って２２．５℃の温度で４６％の湿度で状態調節するとき、このパンティーライナーは２．５％未満、好ましくは２．０％未満、より好ましくは１．０％未満の湿分含量を持つであろう。
【００２４】
活性添加物は、吸収性物品の製造時にそれに適用されかつあれこれと物品の機能を変えまたは改善することを意図した物質、薬剤または組成物を意味する。活性添加物の例はゼオライト及びシリカのような消臭剤、ローションのような柔化剤、他の微生物の培養を防ぐための乳酸菌、及び乳酸及びクエン酸のような酸、酸性ＳＡＰ、及びｐＨを下げそれにより細菌増殖を防ぐことを意図した部分的に中和したＳＡＰである。活性添加物は例えば微生物であることができる。一つの好適実施例によれば、活性添加物は酸生成微生物である。この発明のより好適な実施例によれば、活性添加物は乳酸菌であり、より好ましくはラクトバシラス・プラタラムＬＢ９３１株（寄託番号（ＤＳＭ）：１１９１８）である。
【００２５】
活性感湿添加物が乳酸菌であるとき、この添加物は乳酸菌を含む凍結乾燥粉末の形で、または乳酸菌を含む懸濁液の形で適用されることができる。これに関して、後で乾燥されねばならない不必要な水の添加を避けるために、懸濁液中の水含量をできるだけ低くまたは乳酸菌の濃度をできるだけ高く保つのが適当である。乳酸菌は１０４−１０１１、好ましくは１０６−１０１０ＣＦＵ／製品（ＣＦＵ：コロニー形成単位）の適切な量で好ましくは適用されるであろう。
【００２６】
液体透過性上面シートは軟らかい皮膚に優しい材料から構成される。上面シートは種々の形式の不織布繊維材料の層、または最も有利にはトウまたは詰め綿の層から構成されることができる。用いられることのできる他の材料は孔の開いたプラスチックフィルム、プラスチック網、編まれた、かぎ針編みされたまたは織られた織物、及びこれらの形式の材料の組み合わせ及びラミネートである。プラスチックは熱可塑性、例えばポリエチレン（ＰＥ）であることができる。不織布材料はポリエチレン（ＰＥ）、ポリプロピレン（ＰＰ）、ポリウレタン（ＰＵ）、ポリエステル、ナイロンまたは再生セルロース、または異なる繊維の混合物のような合成繊維からなることができる。衛生ナプキン、パンティーライナーまたは失禁ガードのような吸収性物品の製造で液体透過性上面シートのために用いられる全ての材料がこの発明物品の液体透過性上面シートのために用いられることができる。前述の材料が効果的な取得性を持つことを条件として前述の材料は例としてのみ与えられたことは理解されるであろう。
【００２７】
液体不透過性背面シートは柔軟な材料、好ましくはポリエチレン（ＰＥ）、ポリプロピレン（ＰＰ）またはポリエステルの薄いフィルムからなるが、それはこれに代えて不織布、詰め綿またはトウのような液体透過性材料と液体不透過性材料とのラミネートからなることもできる。吸収性物品のための液体不透過性背面シートで用いられる全ての材料が用いられることができる。背面シートは有利には通気性であることができる。
【００２８】
超吸収剤を用いるとき、吸収される液体を物品の上面から超吸収性高分子に導くための分散層を吸収性物品に含むことが通常必要である。これらの高分子は通常親水性で毛管性を持つ紙繊維（セルロースフラッフ）から構成される。この発明によれば、分散層は親水性でなく従ってセルロースフラッフと同じ範囲まで液体を吸収しない合成繊維詰め綿から構成されることが好都合である。かかる分散層はまた吸収される液体を分散するための毛管を含む。詰め綿は比較的大きな毛管または細孔を含み、これらの毛管または細孔が例えば表面材料に溶着されるとき、より大きな液体保有容量を持つより小さな毛管／細孔が作られる。分散層の存在はパンティーライナーの縁に及び縁を越えて流れ、それにより着用者のパンティーまたは他の衣服を変色する排出流体の危険を減らす。上面シート自体が良好な液体取得性を持つときでさえ、液体取得層（分散層）を含むのが適当でありうる。
【００２９】
この発明のパンティーライナーの包装に関して、ＷＯ  ００／０１２０７に開示された包装体及び包装方法が参照させられる。
【００３０】
このパンティーライナーは６０−２６０ｍｍの長さを持つ。吸収体は３０−８０ｍｍ、好ましくは約７０ｍｍの最大幅と、その後端部に５−２０ｍｍ、好ましくは約１０ｍｍの最小幅を持つ。
【００３１】
このパンティーライナーは従来法、例えば一経路または四経路連続生産ラインで縦方向生産で作られる。
【００３２】
タブ、フラップ（翼）、接着ひもまたは摩擦表面のような多数の手段がパンティーライナーを着用者のパンティーに固定するのに使用されることができる。パンティーライナーは好ましくは着用者のパンティーの縁周りに折り曲げられ、それによりライナーを所定場所にかかえることができるフラップまたは翼を含むであろう。フラップ、または翼はそれらの包装状態で剥離紙により覆われている接着ひもを備えることができ、かかる剥離紙はほこり、ごみ等のような汚染物質に対して接着ひもを保護するように機能し、また前記ひもが使用前に乾燥するのを防ぐシリコーン被覆紙からなる。これに代え、吸収体の領域内の摩擦被覆等により接着ひもを置き換えることも考えられる。更に、単独に一つのフラップが複数の接着ひもを備えることもでき、そのときは着用者のパンティーの下側に対して折り曲げられるのに続いて、またはパンティーの縁周りに折り曲げられた後に、フラップが相互に重複する寸法をしていることが必要である。接着剤以外の固定手段、例えばパンティーが作られている織物材料と共同作用することができるタッチアンドクローズ固定形式のフック手段がパンティーライナーを着用者のパンティーに固定するのに使用されることができる。
【００３３】
この発明はパンティーライナーに主として関連するが、この発明の概念はまた活性添加物が使用されている他の吸収性物品を含むことは理解されるであろう。
【００３４】
この発明が今や例として説明されるであろうが、この例はこの発明の範囲に限定効果を持たないことは理解されるであろう。
【００３５】
実施例１
試験材料試料を２４時間の期間に渡りかつ２２．５℃の温度にかつ４６％の湿度に状態調節することにより多数の材料組み合わせの湿分吸収が試験された（表１）。各材料試料により二つの独立した試験が実施された。商業的に入手し得る製品“Ｇｒａｃｅ”（Ｌｉｂｒｅｓｓｅ  Ａｉｒとも呼ばれる）が対照として使用された。この製品はポリプロピレン不織布表面材料、１４０ｇのサーモボンデッドＬＤＡ（低密度エアレイド）、及びマイクロ細孔ポリエチレンの通気性背面シートを含む。試験は選ばれた対照材料を除き、選ばれた材料の全てが２．５％未満の湿分含量（重量に関して）を示したことを示す。
【００３６】
【表１】
2004532673.tif 000002
【００３７】
表１。湿分吸収試験。試料の状態調節は２４時間に渡って２２．５℃で４６％湿度である。表中の全パンティーライナーはＰＥ背面シートを持つ。百分率値は重量％である。
【国際公開パンフレット】
2004532673.tif 000003
2004532673.tif 000004
2004532673.tif 000005
2004532673.tif 000006
2004532673.tif 000007
2004532673.tif 000008
2004532673.tif 000009
2004532673.tif 000010
2004532673.tif 000011
2004532673.tif 000012
2004532673.tif 000013
【手続補正書】
【提出日】平成15年6月16日(2003.6.16)
【手続補正１】
【補正対象書類名】明細書
【補正対象項目名】０００４
【補正方法】変更
【補正の内容】
【０００４】
乳酸形成細菌（乳酸菌）は生きている生物であり、もちろんそれらの希望の機能を実行するために生きていなければならないので、かかる細菌が存在する環境がそれらの生存に負の影響を持たないことが重要である。これは活性成分として乳酸菌を含む製品の開発に関して問題であることが見出された。乳酸菌の生存が室温では主として高湿度環境で負の影響を受けることが見出された。乳酸菌が健全な貯蔵環境を持つことを確実とするために、貯蔵期間中湿分の来入を防ぐのに十分な程、不透過性である包装ユニットが開発された（ＷＯ  ００／０１２０７）。この製品はまた製品の湿分含量が包装が密封されるとき十分に低くなることを確実とするために製品を包装する直前に乾燥工程を受けさせられる。しかし、この追加の工程段階は複雑でありかつ費用が掛かる。また、ＪＰ６１２７５４０１は水吸収パッドを開示し、それは抗生作用活性を持つ乳酸菌を含む。このパッドは水吸収綿、紙または高分子を含む。従って、貯蔵時の細菌の健全な生存を確保するのに効果的である良好でかつ乾燥した環境を乳酸菌に対して提供することができる別の製造工程または別の乳酸菌含有製品に対する要求がある。




【国際調査報告】
2004532673.tif 000014